(57)【要約】【課題】一眼レフデジタルカメラにおいて、交換レンズユニットにおける絞りリング有無を判断し、交換レンズユニットとカメラ本体のいずれかにより絞り値の設定を行うことができる撮像装置を提供する。【解決手段】カメラシステム１００は交換レンズユニット２とカメラ本体１とを有している。交換レンズユニット２は、撮像光学系Ｌと、絞り調節部２９と、レンズマイコン２０と、を有している。カメラ本体１は、撮像部４５と、露出モード設定ダイヤル３１などの操作部と、ボディーマイコン１２と、を有している。レンズマイコン２０には、絞りリング４０が交換レンズユニット２に搭載されているか否かに関する情報を含むレンズ情報が格納されている。ボディーマイコン１２は、このレンズ情報に基づいて、絞り値の入力部として、絞りリング４０と露出モード設定ダイヤル３１のいずれかを優先的に選択するか否かを判断する。【選択図】図１
2009053599.tif 000002
【特許請求の範囲】
【請求項１】
被写体を撮影するカメラシステムであって、
前記被写体の光学像を形成する撮像光学系と、撮影条件を調節可能な条件調節部と、レンズ制御部と、を有する交換レンズユニットと、
前記光学像を画像信号に変換し前記被写体の画像を取得する撮像部と、撮影条件を入力可能な操作部と、前記撮像部の動作を制御するとともに前記レンズ制御部と情報の送受信が可能な本体制御部と、を有するカメラ本体と、を備え、
前記レンズ制御部は、前記交換レンズユニットに関するレンズ情報を有しており、
前記レンズ情報は、前記撮影条件を入力可能な条件入力部を前記交換レンズユニットが有しているか否かに関する情報を含んでおり、
前記本体制御部は、前記レンズ情報に基づいて、前記撮影条件の入力部として前記操作部を優先的に使用するか否かを判断する、
カメラシステム。
【請求項２】
前記本体制御部は、前記交換レンズユニットが前記条件入力部を有していない場合、前記撮影条件を入力する入力部として前記操作部を選択する、
請求項１に記載のカメラシステム。
【請求項３】
前記本体制御部は、前記交換レンズユニットが前記条件入力部を有している場合、前記条件入力部が所定の条件を選択している場合のみ、前記撮影条件を入力する入力部として前記操作部を選択する、
請求項２に記載のカメラシステム。
【請求項４】
被写体の光学像を形成する撮像光学系と、撮影条件を調節可能な条件調節部と、レンズ制御部と、を有する交換レンズユニットとともにカメラシステムに用いられるカメラ本体であって、
前記光学像を画像信号に変換し前記被写体の画像を取得する撮像部と、
撮影条件を入力可能な操作部と、
前記撮像部の動作を制御するとともに前記レンズ制御部と情報の送受信が可能な本体制御部と、を備え、
前記レンズ制御部は、前記交換レンズユニットに関するレンズ情報を有しており、
前記レンズ情報は、前記撮影条件を入力可能な条件入力部を前記交換レンズユニットが有しているか否かに関する情報を含んでおり、
前記本体制御部は、前記レンズ情報に基づいて、前記撮影条件の入力部として前記操作部を優先的に使用するか否かを判断する、
カメラ本体。
【発明の詳細な説明】
【技術分野】
【０００１】
本発明は、カメラシステム、特に、交換レンズ式のデジタル一眼レフカメラに用いられるシステムに関する。
【背景技術】
【０００２】
近年、被写体の光学的な像を電気的な画像信号に変換して出力可能な一眼レフデジタルカメラが、急速に普及している。この一眼レフデジタルカメラでは、撮影者等によるファインダを用いた被写体観察時には、撮影レンズに入射した光（すなわち被写体像）を、レンズの後の撮影用光路上に配置した反射ミラーで反射することにより光路を変更し、ペンタプリズム等を通して正像にして光学ファインダに導くことで、レンズを通した被写体像を光学ファインダから見ることができる。
【０００３】
また、撮影時の露出値を容易に変更するため、デジタルカメラ本体、あるいは交換レンズユニットに、シャッタースピード、あるいは絞り値の設定を行う操作部材がそれぞれ搭載されている。
【０００４】
カメラ本体にシャッタースピード設定用の操作ダイヤルを搭載し、交換レンズユニットに絞り値設定用の操作リングを搭載した交換レンズ式カメラは、例えば、特許文献１に開示されている。
【特許文献１】特開平７−３１１３９８号公報
【発明の開示】
【発明が解決しようとする課題】
【０００５】
しかしながら、従来の一眼レフ方式のカメラにおいては、交換レンズユニットに絞りリングを搭載したものについては、交換レンズにて絞り値の設定を行うことが可能であるが、絞りリングを搭載していない交換レンズを取り付けた場合、絞り値の設定をできないため、使いにくいものになっていた。
【０００６】
また昨今、ユーザーの利便性を高めるために、デジタルカメラ本体と交換レンズユニット間の通信システムやレンズマウント等が標準化された一眼レフカメラシステムの規格が提案されている。これにより、規格に準拠したデジタルカメラ本体および交換レンズユニットであれば互換性を有することとなるので、ユーザーは異なるメーカーによって製造されたカメラ本体と交換レンズユニットとを組み合わせて撮影することができる。
【０００７】
よって、異なるメーカーによって製造されたカメラ本体と交換レンズユニットは、その一方、あるいはその両方に絞り値設定機能が設けられている場合があり、互換性が保たれないという問題がある。
【０００８】
そこで、本発明は、交換レンズユニットとデジタルカメラ本体における絞り値設定機能の有無に係らず、容易に絞り値の設定をできる一眼レフデジタルカメラを提供することを目的とする。
【課題を解決するための手段】
【０００９】
第１の発明のカメラシステムは、被写体を撮影するカメラシステムであって、被写体の光学像を形成する撮像光学系と、撮影条件を調節可能な条件調節部と、レンズ制御部と、を有する交換レンズユニットと、光学像を画像信号に変換し被写体の画像を取得する撮像部と、撮影条件を入力可能な操作部と、撮像部の動作を制御するとともにレンズ制御部と情報の送受信が可能な本体制御部と、を有するカメラ本体と、を備え、レンズ制御部は、交換レンズユニットに関するレンズ情報を有しており、レンズ情報は、撮影条件を入力可能な条件入力部を交換レンズユニットが有しているか否かに関する情報を含んでおり、本体制御部は、レンズ情報に基づいて、撮影条件の入力部として操作部を優先的に使用するか否かを判断することを特徴とする。
【００１０】
第２の発明のカメラ本体は、被写体の光学像を形成する撮像光学系と、撮影条件を調節可能な条件調節部と、レンズ制御部と、を有する交換レンズユニットとともにカメラシステムに用いられるカメラ本体であって、光学像を画像信号に変換し被写体の画像を取得する撮像部と、撮影条件を入力可能な操作部と、撮像部の動作を制御するとともにレンズ制御部と情報の送受信が可能な本体制御部と、を備え、レンズ制御部は、交換レンズユニットに関するレンズ情報を有しており、レンズ情報は、撮影条件を入力可能な条件入力部を交換レンズユニットが有しているか否かに関する情報を含んでおり、本体制御部は、レンズ情報に基づいて、撮影条件の入力部として操作部を優先的に使用するか否かを判断することを特徴とする。
【発明の効果】
【００１１】
上記の本発明によれば、一眼レフデジタルカメラにおいて、交換レンズユニット２に絞りリング４０が搭載されているか否かに関する情報に基づいて、ボディーマイコン１２により、ユーザーによる絞り値の設定時において、交換レンズユニット２に搭載された絞りリング４０、あるいはカメラ本体１の露出モード設定ダイヤル３１のいずれが優先して使用されるかが判断される。このため、例えば、絞りリング４０が搭載された交換レンズユニット２がカメラ本体１に装着された場合に、交換レンズユニット２あるいはカメラ本体１のいずれかにおいて、絞り値の設定を優先的に行うことができる。これにより、このカメラシステム１００では、異なるメーカーによって製造された交換レンズユニット２とカメラ本体１であっても、誤動作することなく絞り値の設定を行うことができる。
【００１２】
さらには、交換レンズユニット２に絞りリング４０が搭載されている場合でも、カメラ本体１の露出モード設定ダイヤル３１を用いることにより、絞り値の設定を行うことができる。
【発明を実施するための最良の形態】
【００１３】
（実施の形態）
以下、図面を参照しながら本発明の実施の形態について説明する。
【００１４】
＜1：カメラシステムの全体構成＞
図１〜図３を用いて、本発明の一実施形態としてのカメラシステム１００について説明する。図１はカメラシステム１００の全体構成図である。図２はカメラ本体１の制御ブロック図である。図３は交換レンズユニット２の制御ブロック図である。
【００１５】
カメラシステム１００は、交換レンズ式の一眼レフデジタルカメラに用いられるシステムである。図１に示すように、カメラシステム１００は主に、カメラ本体１と、カメラ本体１に取り外し可能に装着された交換レンズユニット２と、から構成されている。交換レンズユニット２は被写体の光学像を形成する。カメラ本体１は交換レンズユニット２により形成された光学像を電気信号に変換し、画像データの記録および画像の表示などを行う。
【００１６】
（１．１：交換レンズユニット）
図１および図３に示すように、交換レンズユニット２は主に、撮像光学系Ｌと、撮像光学系Ｌのズーム倍率を調節するズーム調節部２４と、撮像光学系Ｌの焦点を調節する焦点調節部２２と、撮像光学系Ｌの絞り値（絞りの開度により変化する実際のＦ値）を調節する条件調節部としての絞り調節部２９と、レンズ制御部としてのレンズマイコン２０と、を有している。撮像光学系Ｌはカメラ本体１の撮像センサ１１に被写体像を結ぶ。
【００１７】
レンズマイコン２０は、交換レンズユニット２の各種シーケンスを制御するためのユニットである。レンズマイコン２０には交換レンズユニット２に関するレンズ情報が格納されている。具体的には、例えば、レンズマイコン２０内のメモリ部６９には、交換レンズユニット２ごとの各種プログラム、あるいは焦点距離とフォーカスレンズ群２５の移動量との関係を示すデータ、被写体までの距離とフォーカスレンズ群２５の移動量との関係を示すデータ、交換レンズユニット２に絞りリング４０が搭載されているか否かに関する情報ならびに絞り値の設定ステップ（本実施の形態においては、絞り値「２」から「１１」）および設定幅（本実施の形態においては、１ＡＶステップ）等のデータなどが記憶されている。レンズマイコン２０は、ズーム制御部６２、フォーカス制御部２６および絞り制御部２７と双方向通信が可能である。
【００１８】
図１および図３に示すように、ズーム調節部２４は主に、ズームリニアセンサ６０と、Ａ／Ｄ変換部６１と、ズーム制御部６２と、を有している。ズーム制御部６２は、Ａ／Ｄ変換部６１を介して、ズームリニアセンサ６０から信号を受信可能である。ズーム制御部６２は、ズームリニアセンサ６０により検出されたズームリング３８の回転角度を撮像光学系Ｌの焦点距離情報に変換する。ズーム制御部６２は焦点距離情報をレンズマイコン２０へ送信する。
【００１９】
図１および図３に示すように、焦点調節部２２は主に、フォーカスレンズ群２５と、フォーカスレンズ群２５の動作を制御するフォーカス制御部２６と、を有している。フォーカス制御部２６は、フォーカスリニアセンサ６３から信号を受信可能であり、Ａ／Ｄ変換部６４を介して、フォーカス駆動モータ６５へ信号を送信可能である。フォーカスリニアセンサ６３はフォーカスリング３９の回転角度を検出する。Ａ／Ｄ変換部６４はフォーカスリニアセンサ６３により検出された回転角度情報をデジタル化する。フォーカス制御部２６は、Ａ／Ｄ変換部６４によりデジタル化されたフォーカスリング３９の回転角度情報を物点距離情報に変換する。フォーカス制御部２６はレンズマイコン２０からの命令に基づいて物点距離情報をレンズマイコン２０へ送信する。フォーカス制御部２６は、レンズマイコン２０からの制御信号に基づいてフォーカス駆動モータ６５を駆動する。このように、焦点調節部２２により焦点調節が行われる。
【００２０】
絞り調節部２９は主に、絞りユニット２８と、絞りユニット２８の動作を制御する絞り制御部２７と、絞り値を設定するための絞りリング４０と、を有している。絞りユニット２８は、図示しない絞り羽根と、絞り羽根を駆動するための絞り駆動モータ２８ｂと、を有している。
【００２１】
絞り制御部２７は、絞りリング４０により設定されている絞り値を検出する。具体的には、図３に示す絞りリニアセンサ４１は絞りリング４０の回転角度を検出する。Ａ／Ｄ変換部６７は絞りリング４０により検出された回転角度をデジタル化する。絞り制御部２７は、Ａ／Ｄ変換部６７を介して絞りリニアセンサ４１から信号を受信可能であり、Ａ／Ｄ変換部６７によりデジタル化された絞りリング４０の回転角度情報を絞り値情報に変換する。
【００２２】
絞り制御部２７は、レンズマイコン２０からの命令に基づいて絞り値情報をレンズマイコン２０へ送信し、レンズマイコン２０からの制御信号に基づいて絞り駆動モータ２８ｂを駆動する。絞り駆動モータ２８ｂは、絞り制御部２７からの制御信号により、絞りリング４０で設定された絞り値に応じて絞り羽根を駆動する。このように、絞り調節部２９により撮像光学系Ｌの絞り値が調節される。
【００２３】
交換レンズユニット２はさらに、レンズマウント２１を有しており、レンズマウント２１を介してカメラ本体１の前面に設けられたボディーマウント２３に取り外し可能に装着されている。交換レンズユニット２はレンズマウント２１に設けられた図示しない電気切片を有している。カメラ本体１はボディーマウント２３に設けられた図示しない電気切片を有している。これらの電気切片を介して、後述するボディーマイコン１２とレンズマイコン２０との間でレンズ情報および各種制御信号の送受信が行われる。
【００２４】
（１．２：カメラ本体）
図１および図２に示すように、カメラ本体１は主に、クイックリターンミラー４と、ファインダ光学系１９と、焦点検出ユニット５と、シャッターユニット１０と、撮像部４５と、本体制御部としてのボディーマイコン１２と、を有している。ボディーマイコン１２は各種シーケンスをコントロールする。焦点検出ユニット５の焦点検出方式としては、例えば位相差検出方式が採用されている。
【００２５】
図１および図２に示すように、クイックリターンミラー４を駆動するために、クイックリターンミラー制御部４３およびクイックリターンミラー駆動モータ４４が設けられている。クイックリターンミラー制御部４３は、ボディーマイコン１２からの制御信号に基づき、クイックリターンミラー駆動モータ４４を駆動する。シャッターユニット１０を駆動するために、シャッター制御部１４およびシャッター駆動モータ１０ａが設けられている。シャッター制御部１４は、ボディーマイコン１２からの制御信号に基づいてシャッター駆動モータ１０ａ（図示せず）を駆動する。ボディーマイコン１２は、シャッター制御部１４と、クイックリターンミラー制御部４３へ信号を送信可能である。
【００２６】
撮像部４５は主に、撮像センサ１１と、撮像センサ１１の動作を制御する撮像センサ制御部１３と、を有している。撮像センサ１１は、例えばＣＣＤ（Ｃｈａｒｇｅ  Ｃｏｕｐｌｅｄ  Ｄｅｖｉｃｅ）等である。撮像センサ１１は、交換レンズユニット２の撮像光学系Ｌにより形成される光学像を画像信号に変換する。
【００２７】
図２に示すように、撮像センサ１１から出力される画像信号は、アナログ信号処理部５１、Ａ／Ｄ変換部５２、デジタル信号処理部５３、バッファメモリ５４、画像圧縮部５６の順に処理される。具体的には、画像信号は、撮像センサ１１からアナログ信号処理部５１へ送信される。アナログ信号処理部５１は、撮像センサ１１から出力された画像信号にガンマ処理等のアナログ信号処理を施す。アナログ信号処理が施された画像信号は、アナログ信号処理部５１からＡ／Ｄ変換部５２へ送信される。Ａ／Ｄ変換部５２は、アナログ信号処理部５１から出力されたアナログ画像信号をデジタル信号に変換する。
【００２８】
デジタル信号処理部５３は、Ａ／Ｄ変換部５２によりデジタル信号に変換された画像信号に対して、ノイズ除去や輪郭強調等のデジタル信号処理を施す。デジタル信号処理が施された画像信号は、デジタル信号処理部５３からバッファメモリ５４へ送信される。バッファメモリ５４は、デジタル信号処理部５３により処理された画像信号を一旦記憶する。バッファメモリ５４は、例えば、ＲＡＭ（Ｒａｎｄｏｍ  Ａｃｃｅｓｓ  Ｍｅｍｏｒｙ）などである。
【００２９】
バッファメモリ５４に記憶された画像信号は、画像記録制御部１７からの命令に従って、バッファメモリ５４から画像圧縮部５６へ送信される。画像記録制御部１７の命令に従って、画像圧縮部５６は画像信号に圧縮処理を行う。この圧縮処理により、画像信号のデータサイズは元の画像信号のデータサイズより小さくなる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式などが用いられる。圧縮された画像データは、画像圧縮部５６から画像記録部１８および表示部１６へ送信される。
【００３０】
画像信号を記録するために、画像記録制御部１７および画像記録部１８が設けられている。画像記録制御部１７は、例えば図示しないカード型記録媒体に対して、画像データの読み書きを画像記録部１８に行わせる。具体的には、画像記録制御部１７は、ボディーマイコン１２からの制御信号に基づいて画像記録部１８を制御する。画像記録部１８は、画像記録制御部１７の命令に基づいて、画像データを内部メモリおよび／または記録媒体に記録する。画像データとともに記憶される情報は、例えば、画像を撮影した際の日時、焦点距離情報、シャッタースピード情報、絞り値情報、撮影モード情報などである。
【００３１】
被写体の画像を表示するために、画像表示部４６および液晶モニタなどの表示部１６が設けられている。画像表示制御部１５は、ボディーマイコン１２からの制御信号に基づいて表示部１６を制御する。具体的には、画像表示制御部１５は、撮像センサ１１により取得された画像データを読み出し、画像データに対して所定の処理を施した後、表示部１６に画像を表示させる。表示部１６は、画像表示制御部１５の命令に基づいて、画像信号を可視画像として表示するとともに、各種情報を表示する。表示される情報としては、例えば、焦点距離情報、シャッタースピード情報、絞り値情報、撮影モード情報、合焦状態情報、交換レンズユニット２の絞りリング４０の有無、ならびに絞り値の設定ステップおよび設定幅等が挙げられる。また、表示部１６は、画像表示制御部１５の命令に基づいて、所定の撮影および再生モードにおいて、撮影者により設定されるべき設定画面を表示する。
【００３２】
ボディーマイコン１２は、画像記録制御部１７、画像表示制御部１５およびデジタル信号処理部５３と双方向通信が可能である。ボディーマイコン１２は、各種情報および信号を格納するメモリ６８を有している。
【００３３】
（１．３：操作部）
ここで、図４〜図５を用いてカメラシステム１００の操作部について説明する。図４はカメラシステム１００の上面図である。図５はカメラ本体１の背面図である。
【００３４】
図４に示すように、カメラ本体１には、レリーズボタン３０と、露出モード設定ダイヤル３１と、露出値設定ダイヤル３２が設けられている。レリーズボタン３０と、露出モード設定ダイヤル３１とは、カメラ本体１の上面に設けられている。
【００３５】
レリーズボタン３０は、ボディーマイコン１２へシャッターの操作タイミングを送信する。露出モード設定ダイヤル３１は、露出モードの設定を行うための操作部材である。露出モード設定ダイヤル３１は、設定された露出モードの情報を送信する。カメラ本体１は、プログラム撮影モード（Ｐ）、シャッタースピード優先撮影モード（Ｓ）、絞り優先撮影モード（Ａ）およびマニュアル撮影モード（Ｍ）の４つの露出設定モードを有しており、露出モード設定ダイヤル３１を回転することにより、いずれかの露出モードを選択することができる。露出値設定ダイヤル３２は、右方向あるいは左方向に回転させることにより、絞り値あるいはシャッタースピードなどの露出値を設定することができる。
【００３６】
図４に示すように、交換レンズユニット２の被写体側には、フィルタマウント３７が設けられている。交換レンズユニット２には、フィルタマウント３７からカメラ本体１側（Ｚ軸方向負側）へ向けて、ズームリング３８と、フォーカスリング３９と、絞りリング４０と、が順に配置されている。ズームリング３８、フォーカスリング３９および絞りリング４０は、いずれも円筒状の回転操作部材であり、交換レンズユニット２の外周面において回転可能に配置されている。ズームリング３８、フォーカスリング３９および絞りリング４０は、撮影条件を入力可能な条件入力部の一例である。
【００３７】
図５に示すように、カメラ本体１の背面には、電源ボタン７０、撮影／再生モード切り替えレバー７１、ＭＥＮＵボタン７２、十字操作キー７３、ＳＥＴボタン７４、絞り込みモードボタン７６が設けられている。カメラ本体１の背面（撮影者側の面、Ｚ軸方向負側の面）には表示部１６が設けられている。
【００３８】
電源ボタン７０は、カメラシステム１００の電源のＯＮ／ＯＦＦを行う操作部材である。撮影／再生モード切り替えレバー７１は、撮影モードと再生モードとの切り替えを行う操作部材である。ここで、撮影モードとは、カメラシステム１００において、被写体を新たに撮影して画像信号にするためのモードである。再生モードとは、カメラシステム１００において、既に撮影して格納されている画像データを表示するためのモードである。
【００３９】
撮影者が撮影する場合に、電源ボタン７０がＯＮに切り替えられ、撮影／再生モード切り替えレバー７１が撮影モードに切り替えられる。これによりカメラシステム１００の電源が入り、表示部１６には、撮像センサ１１により電気的な画像信号に変換された被写体の可視画像が、画像表示制御部１５の命令に基づいて表示される。
【００４０】
ＭＥＮＵボタン７２は、表示部１６に各種操作メニューを表示させるための操作部材である。カメラシステム１００が撮影モードにある状態において、撮影者がＭＥＮＵボタン７２を押すと、画像表示制御部１５の命令に基づき、表示部１６には設定メニュー画面が表示される。設定メニュー画面には、撮影モードにおいて撮影者により変更可能な設定項目のアイコンが表示される。
【００４１】
十字操作キー７３は、各種操作メニューの表示項目を選択するための操作部材であり、上下および左右の矢印キーを有している。ＳＥＴボタン７４は、各種操作メニューの表示項目を確定するための操作部材である。絞り込みモードボタン７６は、後述する絞り込みモードへ移行させるためのボタンである。
【００４２】
なお、ボディーマイコン１２は、レリーズボタン３０と、露出モード設定ダイヤル３１と、露出値設定ダイヤル３２と、撮影／再生モード切り替えレバー７１と、ＭＥＮＵボタン７２と、十字操作キー７３と、ＳＥＴボタン７４と、撮影モード切り替えボタン７５と、絞り込みモードボタン７６と、から信号を受信可能である。
【００４３】
（１．４：絞りリング）
ここで、図６〜図９を用いて絞りリング４０について説明する。図６（ａ）は半径方向外側から見た絞りリング４０の展開図、図６（ｂ）は半径方向内側から見た絞りリングの展開図である。図７は絞りリング４０と絞りリニアセンサ４１との結合部分の断面図である。図８は絞りリニアセンサ４１の回路構成図である。図９は絞りリング４０の回転角度と絞りリニアセンサ４１の出力値との関係を示すグラフである。
【００４４】
図６（ａ）に示すように、絞りリング４０の外周面には絞り値が表示されている。絞り値の表示領域は２つの領域に分かれている。具体的には図６（ａ）に示すように、「２」から「１１」までの１ＡＶ（Ａｐｅｒｔｕｒｅ  Ｖａｌｕｅ）ごとの表示部分がマニュアルモードに対応している。図６（ａ）に示すように、「Ａ」の表示部分がオートモードに対応している。図６（ｂ）に示すように、絞りリング４０の内周部には直線状のカム溝４２が形成されている。
【００４５】
図７に示すように、絞りリニアセンサ４１は、絞りリング４０の半径方向外側に突出する円筒形状の摺動子４１ａを有している。図６（ｂ）および図７に示すように、絞りリニアセンサ４１の摺動子４１ａは絞りリング４０に形成されたカム溝４２に挿入されている。絞りリング４０が回転すると、カム溝４２に沿って摺動子４１ａは光軸ＡＺに沿った方向（Ｚ軸方向）に移動する。
【００４６】
図８（ａ）に示すように、絞りリニアセンサ４１は可変抵抗器を有する回路により構成されている。図８（ａ）に示す端子Ｔ２は摺動子４１ａに接続されており、端子Ｔ２およびＴ３は、図７に示す絞りリニアセンサの両端部４１ｂおよび４１ｃに接続されている。端子Ｔ１およびＴ３の間には所定の電圧が付与されている。摺動子４１ａが絞りリニアセンサ４１内にある磁気抵抗体上をスライドすることにより、端子Ｔ２の出力（出力電圧）は図８（ｂ）に示すようにリニアに変化する。
【００４７】
図６に示すように、絞りリング４０の文字「２」が表示されている位置が指標３３の位置と一致している場合、絞りリニアセンサ４１の摺動子４１ａは、カム溝４２の位置Ｐ上にある。この場合、図９に示すように、絞りリニアセンサ４１の出力値（出力電圧値）は、Ｐ’となる。つまり、絞りリング４０の文字「２」が表示されている位置を指標３３の位置と一致させた場合には、絞りリニアセンサ４１の出力電圧値はＰ’となる。
【００４８】
同様に、絞りリング４０を回転させて、絞りリング４０上に文字「２．８」、「４」、「５．６」、「８」、「１１」および「Ａ」が表示されている位置が指標３３の位置と一致している場合、絞りリニアセンサ４１の摺動子４１ａは、カム溝４２の位置Ｑ、Ｒ、Ｓ、Ｔ、ＵおよびＶ上にある。その場合、絞りリニアセンサ４１の出力値（出力電圧値）は、それぞれ、Ｑ’、Ｒ’、Ｓ’、Ｔ’、Ｕ’およびＶ’となる。つまり、絞りリング４０上の文字「２．８」、「４」、「５．６」、「８」、「１１」および「Ａ」が表示されている位置を指標３３の位置と一致させた場合には、絞りリニアセンサ４１の出力電圧値は、Ｑ’、Ｒ’、Ｓ’、Ｔ’、Ｕ’およびＶ’となる。
【００４９】
このように、絞りリニアセンサ４１は、絞りリング４０の回転角度と１対１で対応する出力（出力電圧値）を有しており、絞りリング４０の回転角度に応じた絞り値信号を電圧変化として出力する。したがって、絞りリニアセンサ４１からの出力に基づいて、絞りリング４０の回転角度を検出することができる。
【００５０】
＜２．カメラシステムの動作＞
図１０および図１１を用いてカメラシステム１００の動作について説明する。図１０はファインダ撮影モードを説明するための図である。図１１はモニタ撮影モードを説明するための図である。
【００５１】
このカメラシステム１００は、２つの撮影モードを有している。一方の撮影モードは、撮影者がファインダ接眼窓９を観察しながら撮影するファインダ撮影モードであり、従来の一眼レフカメラにおける通常の撮影モードである。他方の撮影モードは、表示部１６を用いて撮影するモニタ撮影モードである。
【００５２】
（２．１：ファインダ撮影モード）
図１０に示すように、ファインダ撮影モードでは、クイックリターンミラー４は光軸ＡＺ上の所定の位置に配置されている。このため、交換レンズユニット２を通過した被写体からの光は、クイックリターンミラー４のメインミラー４ａにより２つの光束に分割される。反射光束はファインダ光学系１９へ導かれる。透過光束は、クイックリターンミラー４の背面側に設けられたサブミラー４ｂで反射されて、焦点検出ユニット５のＡＦ（Ａｕｔｏｍａｔｉｃ  Ｆｏｃｕｓ）用光束として利用される。
【００５３】
メインミラー４ａで反射された光束はファインダースクリーン６上に結像される。ファインダースクリーン６上に結像された被写体像は、ペンタプリズム７および接眼レンズ８を介してファインダ接眼窓９から観察することができる。このように、このファインダ撮影モードでは、撮影者がファインダ接眼窓９から被写体像を観察することができる。
【００５４】
実際の撮影時には、クイックリターンミラー４が光軸ＡＺ外に跳ね上げられるとともに、シャッターユニット１０が開かれて撮像センサ１１の撮像面上に被写体像が結像される。これにより、被写体の画像を取得することが可能となる。
【００５５】
撮影者のレリーズボタン３０の半押し動作により、カメラ本体１のボディーマイコン１２、交換レンズユニット２のレンズマイコン２０および各種ユニットに電源が供給される。ボディーマイコン１２、レンズマイコン２０および各種ユニットは電源供給により起動する。ボディーマイコン１２は、レンズマウント２１およびボディーマウント２３を介して、レンズマイコン２０から各種レンズ情報を受信する。レンズ情報はボディーマイコン１２に内蔵されるメモリ６８に保存される。
【００５６】
次に、焦点検出ユニット５より焦点ずれ量（以後、Ｄｆ量という）が取得され、Ｄｆ量はボディーマイコン１２に送信される。Ｄｆ量に応じてフォーカスレンズ群２５が駆動される。具体的には、ボディーマイコン１２からレンズマイコン２０へフォーカスレンズ群２５の駆動命令が送信される。レンズマイコン２０によりフォーカス制御部２６を介してＤｆ量分だけフォーカスレンズ群２５が駆動される。焦点検出およびフォーカスレンズ群２５の駆動が繰り返されると、Ｄｆ量は小さくなる。Ｄｆ量が所定量以下になった場合、ボディーマイコン１２は、合焦と判断し、フォーカスレンズ群２５の駆動を停止する。
【００５７】
この後、レリーズボタン３０が全押しされると、ボディーマイコン１２からレンズマイコン２０へ絞り調節命令が送信される。このとき、例えば、図示しない測光センサからの出力に基づいて、ボディーマイコン１２により絞り値が算出される。レンズマイコン２０により絞り制御部２７を介して絞りユニット２８の絞りの開度が調節される。
【００５８】
絞り調節と同時に、ボディーマイコン１２からクイックリターンミラー制御部４３へ、クイックリターンミラー４を光軸ＡＺ上から退避させる命令が送信される。退避完了後、撮像センサ制御部１３により撮像センサ１１が駆動され、シャッター制御部１４によりシャッターユニット１０が駆動される。シャッター制御部１４により、図示しない測光センサからの出力に基づいて計算されたシャッタースピードの時間だけ、シャッターユニット１０の開状態が保たれ、撮像センサ１１が露光される。
【００５９】
露光完了後、撮像センサ１１から出力された画像信号に所定の画像処理が施され、表示部１６に撮影された画像が表示される。また、画像記録部１８を介して、記憶媒体に画像データが記録される。露光完了後、クイックリターンミラー４およびシャッターユニット１０が初期位置にリセットされる。ボディーマイコン１２からレンズマイコン２０へ、絞りユニット２８を開放位置にリセットするよう命令が送信される。レンズマイコン２０により各ユニットにリセット命令が下される。リセット完了後、レンズマイコン２０からボディーマイコン１２へリセット完了情報が送信される。レンズマイコン２０からのリセット完了情報を受信し露光後の一連処理が完了すると、レリーズボタン３０が押し込まれていないことがボディーマイコン１２により確認され、撮影シーケンスが終了する。
【００６０】
（２．２：モニタ撮影モード）
図１１に示すように、モニタ撮影モードで撮影する際には、撮影モード切り替えボタン７５が操作され、撮影モードがモニタ撮影モードに移行する。具体的には、クイックリターンミラー制御部４３によりクイックリターンミラー駆動モータ４４がクイックリターンミラー４を駆動し、クイックリターンミラー４が光軸ＡＺ外に退避する。この結果、撮像光学系Ｌにより形成された被写体像は撮像センサ１１に入射する。撮像センサ１１から画像信号が出力され、所定の画像処理が施された後、表示部１６に撮影された画像が表示される。このように、モニタ撮影モードでは、被写体の実時間画像を表示部１６に表示させることにより、撮影者はファインダ接眼窓９を覗くことなく、被写体を観察することが可能となる。
【００６１】
撮影者によりレリーズボタン３０が半押しされると、ファインダ撮影モードと同様に、焦点調節および絞り調節が行われる。モニタ撮影モードの場合、焦点を検出する際に、クイックリターンミラー制御部４３によりクイックリターンミラー駆動モータ４４が駆動され、クイックリターンミラー４が光軸ＡＺ上の所定位置に戻される。焦点検出ユニット５よりＤｆ量が取得され、Ｄｆ量に応じてフォーカスレンズ群２５が駆動される。焦点検出およびフォーカスレンズ群２５の駆動が繰り返されると、Ｄｆ量は小さくなる。Ｄｆ量が所定量以下になった場合、ボディーマイコン１２は、合焦と判断し、フォーカス制御部２６にフォーカスレンズ群２５の駆動を停止させる。
【００６２】
レリーズボタン３０が全押しされた際の撮影動作は、前述のファインダ撮影モードの場合と同様である。露光完了後、クイックリターンミラー４は光軸ＡＺ上から退避させた状態で保持される。これにより、モニタ撮影モードを継続することが可能となる。
【００６３】
撮影モード切り替えボタン７５を操作すると、モニタ撮影モードが解除され、ファインダ撮影モードに切り替えられる。この場合、クイックリターンミラー４が光軸ＡＺ上の所定位置に戻される。また、カメラシステム１００の電源がＯＦＦに切り替えられた場合も、クイックリターンミラー４が光軸ＡＺ上の所定位置に戻される。
【００６４】
このように、このカメラシステム１００では、モニタ撮影モードを利用できるため、デジタルカメラの撮影に不慣れな初心者にとって非常に使い易くなる。
【００６５】
なお、モニタ撮影モードにおいては、その焦点検出方式として、撮像センサ１１から出力される画像信号に基づいてコントラスト値を求めて焦点検出を行うコントラスト検出方式を用いてもよい。
【００６６】
（２．３：操作部の選択動作）
カメラ本体１は、交換レンズユニット２に絞りリング４０が搭載されている、あるいは搭載されていない場合でも、絞り値の設定が可能なように、交換レンズユニット２に絞りリング４０が搭載されているか否かが判断される。ここでは、図１２を用いて絞り値を入力するための操作部が選択される際のカメラシステム１００の動作について説明する。図１２は選択動作のフローチャートである。
【００６７】
カメラ本体１のボディーマイコン１２により、交換レンズユニット２が取り付けられたか否かが判断される（Ｓ１）。交換レンズユニット２が取り付けられたと判断された場合、交換レンズユニット２のメモリ部６９に格納されているレンズ情報がボディーマイコン１２より取得される（Ｓ２）。取得されたレンズ情報に基づいて、ボディーマイコン１２により交換レンズユニット２に絞りリング４０が搭載されているか否かが判断される（Ｓ３）。
【００６８】
このレンズ情報には、前述のように絞りリング４０が搭載されているか否かに関する情報が含まれている。例えば、この情報は、レンズマイコン２０のメモリ部６９内の所定のアドレス（例えば、通常使用されていない予備のアドレスなど）に記録されている。絞りリング４０が搭載されていない場合には、絞りリング４０が搭載されているか否かに関する情報が積極的に割り付けられていない場合もある。この場合、通常使用されているアドレス以外の予備のアドレスに記録されている情報に基づいて絞りリング４０の有無が判断される。
【００６９】
絞りリング４０が搭載されている場合には、例えば、絞り値の設定は絞りリング４０により優先的に行うことができる（Ｓ４）。逆に、絞りリング４０が搭載されていない場合には、絞り値の設定をカメラ本体１の上面に設けられた露出モード設定ダイヤル３１により優先的に行うことができる（Ｓ５）。
【００７０】
＜３．交換レンズユニット２に絞りリング４０が搭載されている場合の露出設定動作＞
次に、図４および図１０を用いて、交換レンズユニット２に絞りリング４０が搭載されている場合のカメラシステム１００の露出設定動作について説明する。
【００７１】
（３．１：露出設定モードの選択）
カメラシステム１００は、露出設定モードとして、プログラム撮影モード、シャッタースピード優先撮影モード、絞り優先モードおよびマニュアル撮影モードを有している。プログラム撮影モードは通常撮影領域に対して自動で露出設定を行うモードである。シャッタースピード優先モードは、シャッタースピードを手動で設定するモードである。絞り優先モードは絞り値を手動で設定するモードである。マニュアル撮影モードはシャッタースピードおよび絞り値を両方とも手動で設定するモードである。
【００７２】
これらの４つの露出設定モードは、絞りリング４０および露出モード設定ダイヤル３１により選択することができる。絞りリング４０の文字「Ａ」が指標３３と一致している状態では、露出の設定については、カメラ本体１の露出モード設定ダイヤル３１の操作が優先される。逆に、絞りリング４０の文字「Ａ」以外の文字が指標３３と一致している状態では、露出の設定については、絞りリング４０の操作が優先される。図１３に、各露出モードにおけるカメラ本体１と絞りリング４０との設定位置の関係を示す。
【００７３】
具体的には、例えば、絞りリング４０の文字「Ａ」が指標３３と一致している状態で、露出モード設定ダイヤル３１により「Ｐ」に設定されている場合、プログラム撮影モードが選択される。
【００７４】
絞りリング４０の文字「Ａ」が指標３３と一致している状態で、露出モード設定ダイヤル３１により「Ｓ」に設定されている場合、シャッタースピード優先撮影モードが選択される。
【００７５】
絞りリング４０の文字「Ａ」が指標３３と一致している状態で、露出モード設定ダイヤル３１により「Ａ」に設定されている場合、絞り優先撮影モードが選択される。同様に、絞りリング４０の文字「２」〜「１１」のいずれかが指標３３と一致している状態で、露出モード設定ダイヤル３１により「Ｐ」、あるいは「Ａ」に設定されている場合、絞り優先撮影モードが選択される。
【００７６】
絞りリング４０の文字「Ａ」が指標３３と一致している状態で、露出モード設定ダイヤル３１により「Ｍ」に設定されている場合、マニュアル撮影モードが選択される。同様に、絞りリング４０の文字「２」〜「１１」のいずれかが指標３３と一致している状態で、露出モード設定ダイヤル３１により「Ｓ」、「Ｍ」のいずれかに設定されている場合、マニュアル撮影モードが選択される。
【００７７】
なお、絞りリング４０の文字「２」〜「１１」のいずれかが指標３３と一致している状態で、露出モード設定ダイヤル３１により「Ｐ」が設定されている場合には、絞り優先撮影モードに替わり、プログラム撮影モードが設定されるようにしてもよい。
【００７８】
また、絞りリング４０の文字「２」〜「１１」のいずれかが指標３３と一致している状態で、露出モード設定ダイヤル３１により「Ｓ」が設定されている場合には、マニュアル撮影モードに替わり、シャッタースピード優先撮影モードが設定されるようにしてもよい。
【００７９】
以下、４つの露出設定モードのうち、プログラム撮影モードおよびシャッタースピード優先撮影モードを総称してオート絞りモードという。４つの露出設定モードのうち、絞り優先撮影モードおよびマニュアル撮影モードを総称してマニュアル絞りモードという。
【００８０】
交換レンズユニット２に絞りリング４０が搭載されている場合の露出設定動作について説明する。
【００８１】
（３．２：オート絞りモード）
絞りリニアセンサ４１は、絞りリング４０の回転角度に応じた信号を絞り制御部２７へ出力する。絞りリング４０の文字「Ａ」が指標３３と一致している状態で、露出モード設定ダイヤル３１により「Ｐ」あるいは「Ｓ」に設定された場合、レリーズボタン３０が操作されると、絞り制御部２７は、絞りリニアセンサ４１から受信した信号に基づいて露出設定モードがオート絞りモードであることを判断する。絞り制御部２７での判断結果は、レンズマイコン２０、ボディーマイコン１２へ送信される。このとき、ボディーマイコン１２への送信は、例えば、レンズマイコン２０とボディーマイコン１２とのマイコン間通信を介して行われる。
【００８２】
露出値設定ダイヤル３２は、回転角度に応じた信号をボディーマイコン１２へ出力する。シャッタースピード優先撮影モード時には、露出値設定ダイヤル３２により設定されたシャッタースピードにより、所定のシャッタースピードが設定される。
【００８３】
ボディーマイコン１２からデジタル信号処理部５３へ命令が送信され、デジタル信号処理部５３により所定のタイミングで画像信号がボディーマイコン１２へ送信される。デジタル信号処理部５３から送信される画像信号に基づいてボディーマイコン１２により露出値が演算される。露出設定モードがプログラム撮影モードである場合、調整可能な絞り値とシャッタースピードとから絞り値およびシャッタースピードの適切な組み合わせがボディーマイコン１２により決定される。露出設定モードがシャッタースピード優先撮影モードである場合、設定されたシャッタースピードに対する適切な絞り値がボディーマイコン１２により演算される。
【００８４】
演算結果に基づいてボディーマイコン１２により制御信号が生成される。この制御信号は、レンズマイコン２０を介してボディーマイコン１２から絞り制御部２７へ送信される。露出設定モードがプログラム撮影モードである場合、演算されたシャッタースピードに基づく制御信号がボディーマイコン１２からシャッター制御部１４へ送信される。露出設定モードがシャッタースピード優先撮影モードである場合、露出値設定ダイヤル３２により設定されたシャッタースピードがボディーマイコン１２からシャッター制御部１４へ送信される。
【００８５】
それと同時に、ボディーマイコン１２から画像表示制御部１５へ制御信号が送信される。この制御信号に基づいて、画像表示制御部１５は表示部１６を駆動する。具体的には、露出設定モードがプログラム撮影モードである場合、画像表示制御部１５により露出設定モードがプログラム撮影モードである旨が表示部１６に表示される。露出設定モードがシャッタースピード優先モードである場合、画像表示制御部１５により露出設定モードがシャッタースピード優先モードである旨が表示部１６に表示される。
【００８６】
レンズマイコン２０からの制御信号に基づいて、絞り駆動モータ２８ｂを駆動するための駆動信号が絞り制御部２７により生成される。この駆動信号に基づいて絞り駆動モータ２８ｂが駆動され、絞り駆動モータ２８ｂにより絞りユニット２８の絞り羽根が駆動される。
【００８７】
ボディーマイコン１２からの制御信号に基づいて、シャッター駆動モータ１０ａを駆動するための駆動信号がシャッター制御部１４により生成される。この駆動信号に基づいてシャッター駆動モータ１０ａは駆動され、シャッター駆動モータ１０ａによりシャッターユニット１０が駆動される。
【００８８】
以上のように、カメラシステム１００においてオート絞りモードによる露出設定が行われる。レリーズボタン３０の操作後、以上の動作は瞬時に実行される。
【００８９】
撮影が終了すると、ボディーマイコン１２から画像記録制御部１７へ制御信号が送信される。この結果、画像記録制御部１７の命令に基づいて、画像記録部１８により画像信号が内部メモリおよび／または記録媒体に記録される。
【００９０】
露出設定モードがプログラム設定モードである場合、画像記録制御部１７の命令に基づいて、露出設定モードがプログラム撮影モードである旨の情報が画像信号とともに内部メモリおよび／または記録媒体に記録される。露出設定モードがシャッター優先モードである場合、画像記録制御部１７の命令に基づいて、露出設定モードがシャッタースピード優先モードである旨の情報が画像信号とともに内部メモリおよび／または記録媒体に記録される。
【００９１】
（３．３：マニュアル絞りモード）
絞りリング４０の文字「Ａ」が指標３３と一致している状態で、露出モード設定ダイヤル３１により「Ａ」あるいは「Ｍ」に設定された場合、レリーズボタン３０が操作されると、絞り制御部２７は、絞りリニアセンサ４１から受信した信号に基づいて露出設定モードがマニュアル絞りモードであると判定する。絞り制御部２７での判断結果は、レンズマイコン２０へ送信される。同様に、絞りリング４０の文字「２」〜「１１」のいずれかの文字が指標３３と一致している状態においては、露出モード設定ダイヤル３１の設定値に係らず、マニュアル絞りモードと判定される。
【００９２】
絞りリング４０の文字「Ａ」が指標３３と一致している状態では、露出値設定ダイヤル３２は、回転角度に応じた信号をボディーマイコン１２へ出力する。絞り優先撮影モード時には、露出値設定ダイヤル３２により設定された絞り値により、所定の絞り値が設定される。また、マニュアル撮影モード時には、露出値設定ダイヤル３２により設定されたシャッタースピード、あるいは絞り値により、所定のシャッタースピード、あるいは絞り値が設定される。
【００９３】
また、絞りリング４０の文字「２」〜「１１」のいずれかの文字が指標３３と一致している状態では、レンズマイコン２０は、絞り制御部２７に対して絞りリング４０の回転角度から検出された絞り値情報を要求する。レンズマイコン２０からの命令に基づいて、絞りリング４０の回転角度から検出された絞り値情報が、絞り制御部２７からレンズマイコン２０およびボディーマイコン１２へ送信される。露出設定モードが絞り優先撮影モードである場合、ボディーマイコン１２からデジタル信号処理部５３へ命令が送信され、所定のタイミングで画像信号がデジタル信号処理部５３からボディーマイコン１２へ送信される。
【００９４】
露出設定モードが絞り優先撮影モードである場合、検出された絞り値に対し、画像信号に基づいてボディーマイコン１２により適切なシャッタースピードが演算される。露出設定モードが絞り優先撮影モードである場合、演算結果に基づいてボディーマイコン１２により制御信号が生成される。露出設定モードが絞り優先撮影モードである場合、演算されたシャッタースピードに基づく制御信号がボディーマイコン１２によりシャッター制御部１４へ送信される。露出設定モードがマニュアル撮影モードである場合、露出値設定ダイヤル３２により設定されたシャッタースピードがボディーマイコン１２によりシャッター制御部１４へ送信される。
【００９５】
それと同時に、ボディーマイコン１２から画像表示制御部１５へ制御信号が送信される。この制御信号に基づいて、画像表示制御部１５は表示部１６を駆動する。具体的には、露出設定モードが絞り優先撮影モードである場合、画像表示制御部１５により露出設定モードが絞り優先撮影モードである旨が表示部１６に表示される。露出設定モードがマニュアル撮影モードある場合、画像表示制御部１５により露出設定モードがマニュアル撮影モードである旨が表示部１６に表示される。
【００９６】
レンズマイコン２０からの制御信号に基づいて、絞り駆動モータ２８ｂを駆動するための駆動信号が絞り制御部２７により生成される。この駆動信号に基づいて、絞り駆動モータ２８ｂが駆動され、絞り駆動モータ２８ｂにより絞りユニット２８の絞り羽根が駆動される。
【００９７】
ボディーマイコン１２からの制御信号に基づいて、シャッター駆動モータ１０ａを駆動するための駆動信号がシャッター制御部１４により生成される。この駆動信号に基づいてシャッター駆動モータ１０ａが駆動され、シャッター駆動モータ１０ａによりシャッターユニット１０が駆動される。
【００９８】
以上のように、カメラシステム１００においてマニュアル絞りモードによる露出設定が行われる。レリーズボタン３０の操作後、以上の動作は瞬時に実行される。
【００９９】
撮影が終了すると、ボディーマイコン１２から画像記録制御部１７へ制御信号が送信される。この結果、画像記録制御部１７の命令に基づいて、画像記録部１８により画像信号が内部メモリおよび／または記録媒体に記録される。
【０１００】
露出設定モードが絞り優先モードある場合、画像記録制御部１７の命令に基づいて、画像記録部１８により露出設定モードが絞り優先モードである旨の情報が画像信号とともに内部メモリおよび／または記録媒体に記録される。露出設定モードがマニュアル撮影モードである場合、画像記録制御部１７の命令に基づいて、露出設定モードがマニュアル撮影モードである旨の情報が画像信号とともに画像記録部１８により内部メモリおよび／または記録媒体に記録される。
【０１０１】
＜４．交換レンズユニット２に絞りリング４０が搭載されていない場合の露出設定動作＞
交換レンズユニット２に絞りリング４０が搭載されていない場合の露出設定動作について説明する。
【０１０２】
交換レンズユニット２に絞りリング４０が搭載されていない場合には、カメラ本体１に設けられた露出モード設定ダイヤル３１により、露出モードが設定される。つまり、図１３に示す絞りリング４０の文字「Ａ」が指標３３と一致している状態と同様な設定状態となり、露出設定モード設定ダイヤル３１の設定により、プログラム撮影モード（Ｐ）、シャッタースピード優先撮影モード（Ｓ）、絞り優先撮影モード（Ａ）およびマニュアル撮影モード（Ｍ）の４つの露出設定モードを選択することができる。
【０１０３】
＜５．絞り込みモード＞
次に、撮影時の絞り込みモードについて説明する。
【０１０４】
（５．１：絞り込みモードの概要）
絞り込みモードでは、被写界深度の確認は表示部１６を介して行われる。具体的には、例えば、ファインダ撮影モードの場合、絞り込みモードボタン７６が押されると、撮影モードが自動的にモニタ撮影モードに移行する。この結果、絞りユニット２８での実際の絞り値に対応する実時間画像が表示部１６に表示される。これにより、表示部１６を介して被写界深度の確認を容易に行うことができる。
【０１０５】
例えば、この絞り込みモードにおいて、交換レンズユニット２に絞りリング４０が搭載されている場合には、レンズマイコン２０は、絞りリング４０の回転角度に基づいて検出された絞り値情報を絞り制御部２７に要求する。レンズマイコン２０からの命令に基づいて、絞りリング４０の回転角度から検出された絞り値情報が、絞り制御部２７によりレンズマイコン２０およびボディーマイコン１２へ送信される。レンズマイコン２０からの制御信号に基づいて、絞り駆動モータ２８ｂを駆動するための駆動信号が絞り制御部２７により生成される。この駆動信号に基づいて絞り駆動モータ２８ｂは駆動され、絞り駆動モータ２８ｂにより絞りユニット２８の絞り羽根が駆動される。
【０１０６】
また、交換レンズユニット２に絞りリング４０が搭載されていても、絞りリング４０の文字「Ａ」が指標３３と一致している場合、あるいは絞りリング４０が搭載されていない場合には、露出値設定ダイヤル３２の絞り値情報が、レンズマイコン２０およびボディーマイコン１２へ送信される。レンズマイコン２０からの制御信号に基づいて、絞り駆動モータ２８ｂを駆動するための駆動信号が絞り制御部２７により生成される。この駆動信号に基づいて絞り駆動モータ２８ｂは駆動され、絞り駆動モータ２８ｂにより絞りユニット２８の絞り羽根が駆動される。
【０１０７】
（５．２：絞り込みモードの具体的動作）
次に、図１４を用いて絞り込みモードにおける具体的な動作について説明する。図１４は絞り込みモードのフローチャートである。
【０１０８】
絞り込みモードボタン７６が押されたか否かがボディーマイコン１２により判断される（Ｓ１１）。絞り込みモードボタン７６が押された場合には、絞り込みモードに移行する（Ｓ１２）。図１１に示すように、絞り込みモードでは、クイックリターンミラー制御部４３によりクイックリターンミラー駆動モータ４４が駆動され、クイックリターンミラー４が光軸ＡＺ外に退避する。クイックリターンミラー４の退避後、撮像センサ１１が動作を開始する。
【０１０９】
次に、画像表示制御部１５により、表示部１６上には、撮像センサ１１により得られた実時間画像が表示される（Ｓ１３）。撮影者により絞りリング４０が操作されると、レンズマイコン２０からの命令に基づいて絞り制御部２７により絞りリング４０の回転角度に基づいた絞り情報が検出される。また、露出値設定ダイヤル３２が操作されると、ボディーマイコン１２からの命令に基づいて絞り値情報が検出される（Ｓ１４、Ｓ１５）。レンズマイコン２０からの制御信号に基づいて、絞り駆動モータ２８ｂを駆動するための駆動信号が絞り制御部２７により生成され、絞り駆動モータ２８ｂにより絞りユニット２８の絞り羽根が駆動される（Ｓ１６）。この結果、撮像光学系Ｌの絞り値が絞りリング４０あるいは露出値設定ダイヤル３２により設定された絞り値に変更される。例えば、絞りリング４０による設定絞り値がＦ２である場合、例えば図１５に示すように、表示部１６には絞り値Ｆ２における実時間画像が表示され、絞りが開放状態にあるので、人物像に対して背景がぼけた画像が表示される。このとき、例えば、表示部１６において画像の右上には絞り値Ｆ２が表示される。
【０１１０】
絞り込みモードボタン７６がＯＦＦであるか否かがボディーマイコン１２により判断され、ＯＦＦでない場合はステップＳ１３〜Ｓ１６が繰り返される（Ｓ１７）。これにより、絞りリング４０の設定絞り値に対応する実時間画像が表示部１６に表示され、表示部１６を介して撮影時の被写界深度の確認を容易に行うことができる。
【０１１１】
一方、絞り込みモードボタン７６がＯＦＦに切り替えられた場合、クイックリターンミラー４が光軸ＡＺ上の所定位置に戻され、絞り込みモードは終了する（Ｓ１８）。
【０１１２】
なお、交換レンズユニット２に絞りリング４０が搭載されていない場合には、絞り値の設定はカメラ本体１の露出値設定ダイヤル３２のみにて行われる。この場合、絞り値の設定に用いられる構成が前述の絞りリング４０ではなく露出値設定ダイヤル３２であるが、絞り込みモードの機能としては前述の場合と同様である。このため、交換レンズユニット２に絞りリング４０が搭載されていない場合の絞り込みモードについては説明を省略する。
【０１１３】
＜６．効果＞
（１）
このカメラシステム１００では、交換レンズユニット２に絞りリング４０が搭載されているか否かに関する情報に基づいて、ボディーマイコン１２により、ユーザーによる絞り値の設定時において、交換レンズユニット２に搭載された絞りリング４０、あるいはカメラ本体１の露出設定ダイヤル３１のいずれが優先して使用されるかが判断される。このため、例えば、絞りリング４０が搭載された交換レンズユニット２がカメラ本体１に装着された場合に、交換レンズユニット２あるいはカメラ本体１のいずれかに、絞り値の設定を優先的に行うことができる。これにより、このカメラシステム１００では、異なるメーカーによって製造された交換レンズユニット２とカメラ本体１であっても、誤動作することなく絞り値の設定を行うことができる。さらには、交換レンズユニット２に絞りリング４０が搭載されている場合でも、カメラ本体１の露出モード設定ダイヤル３１を用いることにより、絞り値の設定を行うことができる。
【０１１４】
（２）
絞込みモードにおいて、自動的に、クイックリターンミラー４を光軸ＡＺ外に退避させた表示部１６を用いたモニタ撮影モードに移行することにより、本撮影の際の絞り値に即した画像、つまり実絞りライブビュー画像を、表示部１６に表示させることができるため、被写界深度の確認を容易に行うことができる。
【０１１５】
＜７．他の実施形態＞
本発明の具体的な構成は、前述の実施形態に限られるものではなく、発明の要旨を逸脱しない範囲で種々の変更および修正が可能である。
【０１１６】
（１）
絞り値の設定可能範囲は、前述の実施形態のように絞り値「２」から「１１」に限定されない。例えば、交換レンズユニット２の種類に応じて、例えば絞り値「２」から「２２」に設定できるようにしてもよい。また、ステップ幅は、１ＡＶに限定されるものではなく、例えば１／３ＡＶステップであってもよい。
【０１１７】
（２）
絞りリング４０の有無に関する情報が、表示部１６に表示されてもよい。
【０１１８】
（３）
前述の実施形態では、撮像センサ１１により取得された画像が表示部１６に表示される。しかし、撮像センサ１１に代えて、別の撮像センサをファインダ光学系１９に設け、この撮像センサにより画像を取得する構成であってもよい。この場合、クイックリターンミラー４を光軸ＡＺ外へ退避させる必要がない。
【０１１９】
（４）
前述の実施形態では、絞り込みモードボタン７６を１度押せば撮影モードが絞り込みモードに移行され、もう１度押せば絞り込みモードが解除される。しかし、絞り込みモードボタン７６を押している間のみ、絞り込みモードが継続される構成であってもよい。
【０１２０】
（５）
前述の実施形態では、カメラシステム１００として、クイックリターンミラー４が搭載されている構成について説明したが、ペンタプリズム７などのファインダ光学系１９および焦点検出ユニット５に導くクイックリターンミラー４を省略し、その替わりに、液晶ファインダなどの電子ファインダ部（図示せず）が設けられたシステムであってもよい。その場合の焦点検出方式としては、撮像センサ１１から出力される画像信号に基づいてコントラスト値を求めて焦点検出を行うコントラスト検出方式が用いられる。この場合には、電子ファインダ部あるいは表示部１６には、撮影時のライブビュー画像を表示することができる。この場合、カメラシステム１００は、ペンタプリズム７などのファインダ光学系１９およびクイックリターンミラー４を省略することにより、カメラ本体１の光軸ＡＺ方向における薄型化を図ることができる。さらには、交換レンズユニット２の最後部にあるレンズから撮像センサ１１までの距離（レンズバック）を短くできるため、交換レンズユニット２の小型化を図ることが可能となる。この場合、例えば、図１４に示すステップＳ３，Ｓ９の処理は不要となり、合焦動作時間の短縮を図ることができる。
【０１２１】
（６）
上記説明に用いた座標軸および方向は、カメラシステム１００の使用状態を限定するものではない。
【産業上の利用可能性】
【０１２２】
本発明は、一眼レフデジタルカメラにおいて、交換レンズユニットの絞りリング搭載有無に係らず、各種の露出値設定を行うことがきるようにするものであり、撮像装置の利便性を拡大するものである。
【図面の簡単な説明】
【０１２３】
【図１】本発明の実施の形態に係る交換レンズユニットとデジタルカメラ本体からなるカメラシステム全体の制御システムを示すブロック図
【図２】本発明の実施の形態に係るデジタルカメラ本体の制御システムを示すブロック図
【図３】本発明の実施の形態に係る交換レンズユニットの制御システムを示すブロック図
【図４】本発明の実施の形態に係るデジタルカメラの上面図
【図５】本発明の実施の形態に係るデジタルカメラの背面図
【図６】（ａ）は、本発明の実施の形態に係る絞りリングの外周面の展開図、（ｂ）は、本発明の実施の形態に係る絞りリングの内周面の展開図
【図７】本発明の実施の形態に係る絞りリングと絞りリニアセンサの結合を示す断面図
【図８】（ａ）は、本発明の実施の形態のレンズ鏡筒の絞りリニアセンサの回路図、（ｂ）は、本発明の実施の形態のレンズ鏡筒の絞りリニアセンサの出力を表すグラフ
【図９】本発明の実施の形態に係る絞りリングの回転角度と絞りリニアセンサの出力値の関係を示すグラフ
【図１０】本発明の実施の形態に係るファインダ撮影モードを説明する概念図
【図１１】本発明の実施の形態に係るモニタ撮影モードを説明する概念図
【図１２】本発明の実施の形態に係る交換レンズユニットの絞りリング搭載有無を判断するフローチャート
【図１３】本発明の実施の形態に係る各露出モードにおけるカメラ本体と絞りリングとの設定位置の関係を説明する図
【図１４】本発明の実施の形態に係る絞り込みモードを説明するフローチャート
【図１５】本発明の実施の形態に係る実絞りライブビューの表示画像を示す図
【符号の説明】
【０１２４】
ＡＺ    光軸
Ｌ    撮像光学系
Ｄｆ    焦点ずれ量
１    カメラ本体
２    交換レンズユニット
４    クイックリターンミラー
９    ファインダ接眼窓
１０    シャッターユニット
１１    撮像センサ（撮像部）
１２    ボディーマイコン（本体制御部）
１４    シャッター制御部
１５    画像表示制御部
１６    表示部
１８    画像記録部
２０    レンズマイコン（レンズ制御部）
２１    レンズマウント
２３    ボディーマウント
２５    フォーカスレンズ群
２７    絞り制御部
２８    絞りユニット
２８ｂ    絞り駆動モータ
３０    レリーズボタン
３１    露出モード設定ダイヤル
３２    露出値設定ダイヤル（条件入力部）
３３    指標
３８    ズームリング
３９    フォーカスリング
４０    絞りリング（条件入力部）
４１    絞りリニアセンサ
４３    クイックリターンミラー制御部
４４    クイックリターンミラー駆動モータ
６２    ズーム制御部
６５    フォーカス駆動モータ
６８    カメラ本体内メモリ
６９    交換レンズユニット内メモリ
７１    撮影／再生モード切り替えレバー
７２    ＭＥＮＵボタン
７５    撮影モード切り替えボタン
７６    絞り込みモードボタン
１００    カメラシステム
【図１】
2009053599.tif 000003
【図２】
2009053599.tif 000004
【図３】
2009053599.tif 000005
【図４】
2009053599.tif 000006
【図５】
2009053599.tif 000007
【図６】
2009053599.tif 000008
【図７】
2009053599.tif 000009
【図８】
2009053599.tif 000010
【図９】
2009053599.tif 000011
【図１０】
2009053599.tif 000012
【図１１】
2009053599.tif 000013
【図１２】
2009053599.tif 000014
【図１３】
2009053599.tif 000015
【図１４】
2009053599.tif 000016
【図１５】
2009053599.tif 000017